(57)【要約】【課題】照明生理プログラムによる効果を十分に高める。【解決手段】ランプ１０と、これを点灯、調光または消灯する点灯回路部１１と、これがランプ１０を点灯、調光または消灯する動作を、照明制御信号に従って制御する制御回路部１２と、動作開始時刻を設定するための動作開始時刻設定部２０と、これで設定された動作開始時刻になると、予め作成された照明生理プログラムによる照度情報を出力する照明制御部２１と、所定対象の照度情報を得るための照度獲得部２２と、この照度獲得部２２で得られた照度情報が照明制御部２１によって出力された照度情報に等しくなるように、照明制御信号を生成して出力する光補正演算部２３とを備えた。【選択図】  図１
2004355856.tif 000002
【特許請求の範囲】
【請求項１】
少なくとも一つの光源と、
この光源を点灯、調光または消灯する少なくとも一つの点灯手段と、
この点灯手段が前記光源を点灯、調光または消灯する動作を、照明制御信号に従って制御する制御手段と、
動作開始時刻を設定するための動作開始時刻設定手段と、
この動作開始時刻設定手段で設定された動作開始時刻になると、予め作成された照明生理プログラムによる照度情報を出力する照度情報出力手段と、
所定対象の照度情報を得るための照度情報獲得手段と、
この照度情報獲得手段で得られた照度情報が前記照度情報出力手段によって出力された照度情報に等しくなるように、前記照明制御信号を生成して出力する光補正手段と
を備えることを特徴とする照明装置。
【請求項２】
前記動作開始時刻設定手段、前記照度情報出力手段、前記照度情報獲得手段および前記光補正手段を含むとともに、前記光補正手段によって出力される照明制御信号をワイヤレス信号で送信する通信手段を含むワイヤレスリモコンと、
前記光源、前記点灯手段および前記制御手段を含むとともに、前記送信手段によって送信されたワイヤレス信号から前記照明制御信号を受信して前記制御手段に出力する通信手段を含む照明器具と
を備えることを特徴とする請求項１記載の照明装置。
【請求項３】
前記ワイヤレスリモコンの通信手段および前記照明器具の通信手段の各々は、双方向通信用であり、ワイヤレス信号を送受信することを特徴とする請求項２記載の照明装置。
【請求項４】
前記光補正手段は、前記照明器具の形状、前記光源の種類により、前記光源の温度特性などによる光出力変化を補正することを特徴とする請求項３記載の照明装置。
【請求項５】
前記照度情報獲得手段は、前記所定対象としての顔面照度を測定する照度計であることを特徴とする請求項１から４のいずれかに記載の照明装置。
【請求項６】
前記照度情報獲得手段は、前記所定対象としての顔面照度を推定するために、前記所定対象からの離隔距離を測定する測距センサであることを特徴とする請求項１から４のいずれかに記載の照明装置。
【請求項７】
前記制御手段が、前記照明制御信号に従って、前記点灯手段を通じて前記光源を調光する動作を制御しても、前記照明生理プログラムによる照度情報が前記照度情報獲得手段で得られなければ、その旨を報知すること、または前記照明生理プログラムによる照度情報を用いた動作を停止することを特徴とする請求項１から６のいずれかに記載の照明装置。
【請求項８】
前記照明器具を複数備え、
前記光補正手段は、前記複数の照明器具の全部または一部に対して、前記照度情報獲得手段で得られた照度情報が、前記照度情報出力手段によって出力された照度情報に等しくなるように、前記全部または一部の照明器具の各別に、前記照明制御信号を生成して出力する
ことを特徴とする請求項３記載の照明装置。
【発明の詳細な説明】
【０００１】
【発明の属する技術分野】
本発明は、照明により人を人間工学的に、リラックスないし入眠させ、快適に起床させるための照明装置に関するものである。
【０００２】
【従来の技術】
図１０に従来の照明装置の構成図を示し、図１１に同照明装置の動作説明図を示す（例えば特許文献１）。
【０００３】
図１０の照明装置は、照明により人を人間工学的に快適に起床させるためのものであり、ランプ（放電ランプ）１０、点灯回路部１１、制御回路部１２およびリモコン通信部１３により構成される照明器具１と、タイマ付きのリモコン２とを備え、図１１の動作を実行するように構成されている。なお、点灯回路部１１は、例えばインバータなどにより構成され、リモコン通信部１３は、赤外線リモコン信号を受信するリモコン受信部である。制御回路部１２には、照明生理プログラムを記憶するメモリおよびこのメモリに記憶された照明生理プログラムを実行するマイコンなどが具備されている。
【０００４】
図１０，図１１において、タイマで起動したリモコン２から赤外線リモコン信号が出力される。その赤外線リモコン信号がリモコン受光部１３で受信されると、リモコン受光部１３から調光信号が出力される。
【０００５】
そして、その調光信号が制御回路部１２で受信されると、制御回路部１２が、制御信号を点灯回路部１１に出力することにより、点灯回路部１１によるランプ１０の点灯、調光または消灯動作を制御する。図１１では、ランプ１０による光の照度を低照度、中照度、高照度の順に変化させ、低照度から中照度への照度変化を緩やかに、中照度から高照度への照度変化を急速に行うことで、就寝者の睡眠を深い状態から浅い状態に導き、就寝者の生体リズムを活動期に向かわせるようにしてある。
【０００６】
より具体的に説明すると、現在時刻が起床希望時刻ｔ３の３０〜６０分前の時刻ｔ１になると、制御回路部１２が、点灯回路部１１を介して、ランプ１０の照度を、２５０ｌｘ以下の低照度の範囲内で、ほぼ零照度から２００ｌｘ程度まで徐々に穏やかに上昇させて、夜明け前の状態にする。
【０００７】
続いて、時刻ｔ２になると、制御回路部１２が、点灯回路部１１を介して、ランプ１０の照度を、２００〜１０００ｌｘの範囲内の中照度に変化させて、夜明け前後の状態にする。
【０００８】
続いて、時刻ｔ３になると、制御回路部１２が、点灯回路部１１を介して、中照度の倍以上となる１０００ｌｘ以上の高照度に急激に変化させて、夜明け後の日射がある状態にし、快適な起床を促す。
【０００９】
このような光の変化による光刺激を就寝者に与えることにより、その睡眠を深い状態から浅い状態に適切に誘導するだけでなく、高照度光の存在で就寝者の生体リズムを活性期に向かわせることになるため、不快感のない目覚めを就寝者にもたらすことができる。
【００１０】
図１２に本出願人により別途提案されている照明装置（特願２００１−３０１７０２号）の動作説明図を示す。
【００１１】
この照明装置は、図１２に示す照度変化に呼吸リズムを合わすようにさせて、その呼吸リズムを整え、人を人間工学的にリラックスないし入眠させるためのものである。
【００１２】
図１２において、導入期間では、ランプによる顔面に対する調光照度（顔面照度）が、閉眼の状態で呼吸を合わすことができる照度で正弦波状に上下動し、リラックス期間では、顔面照度が、導入期間よりも低く閉眼の状態でリラックスし易い照度で正弦波状に上下動し、遷移期間では、顔面照度の変化範囲が、導入期間の変化範囲からリラックス期間の変化範囲へとスムーズに遷移するようになっている。遷移期間は無くても構わないが、導入期間をリラックス期間にスムーズに遷移する遷移期間を設ける方が望ましい。
【００１３】
このような照明装置によれば、閉眼の状態で、図１２の顔面照度に応じて、顔面照度が低い状態から高い状態に変化するときに息を吸うかまたは吐くかし、顔面照度が高い状態から低い状態に変化するときに息を吐くかまたは吸うかして、呼吸リズムを整えれば、容易にリラックスないし入眠することが可能になる。
【００１４】
【特許文献１】
特開平０７−３１８６７０号公報
【００１５】
【発明が解決しようとする課題】
しかしながら、上記従来の照明装置では、照明生理プログラムを実行する制御回路部１２が照明器具１内に設けられ、顔面照度が使用環境（部屋の大きさ、光源の距離および外光環境等）に関係なく制御されるため、照明生理プログラムによる効果を十分に高めることができない。
【００１６】
本発明は、上記事情に鑑みてなされたものであり、照明生理プログラムによる効果を十分に高めることができる照明装置を提供することを目的とする。
【００１７】
【課題を解決するための手段】
上記課題を解決するための請求項１記載の発明は、少なくとも一つの光源と、この光源を点灯、調光または消灯する少なくとも一つの点灯手段と、この点灯手段が前記光源を点灯、調光または消灯する動作を、照明制御信号に従って制御する制御手段と、動作開始時刻を設定するための動作開始時刻設定手段と、この動作開始時刻設定手段で設定された動作開始時刻になると、予め作成された照明生理プログラムによる照度情報を出力する照度情報出力手段と、所定対象の照度情報を得るための照度情報獲得手段と、この照度情報獲得手段で得られた照度情報が前記照度情報出力手段によって出力された照度情報に等しくなるように、前記照明制御信号を生成して出力する光補正手段とを備えることを特徴とする。
【００１８】
この構成では、照度情報獲得手段で得られた照度情報が照度情報出力手段によって出力された照度情報等しくなるように、光補正手段で補正される分、所定対象における実際の照度を照明生理プログラムによる照度に合わせることができるため、照明生理プログラムによる効果を十分に高めることができる。
【００１９】
請求項２記載の発明は、請求項１記載の照明装置において、前記動作開始時刻設定手段、前記照度情報出力手段、前記照度情報獲得手段および前記光補正手段を含むとともに、前記光補正手段によって出力される照明制御信号をワイヤレス信号で送信する通信手段を含むワイヤレスリモコンと、前記光源、前記点灯手段および前記制御手段を含むとともに、前記送信手段によって送信されたワイヤレス信号から前記照明制御信号を受信して前記制御手段に出力する通信手段を含む照明器具とを備えることを特徴とする。この構成では、照明制御信号を伝達する信号線がコードレス化されるので、信号線を配線するための手間を省くことができ、信号線の引き回しにより美観が損なわれるのを防止することができる。
【００２０】
請求項３記載の発明は、請求項２記載の照明装置において、前記ワイヤレスリモコンの通信手段および前記照明器具の通信手段の各々は、双方向通信用であり、ワイヤレス信号を送受信することを特徴とする。この構成でも、屋内配線が不要で、コードレス化が可能となる。
【００２１】
請求項４記載の発明は、請求項３記載の照明装置において、前記光補正手段は、前記照明器具の形状、前記光源の種類により、前記光源の温度特性などによる光出力変化を補正することを特徴とする。この構成では、照明器具の形状、光源の種類により、光源の温度特性等による出力変化の補正が可能となり、照明生理プログラムによる効果を十分に高めることができる。
【００２２】
請求項５記載の発明は、請求項１から４のいずれかに記載の照明装置において、前記照度情報獲得手段は、前記所定対象としての顔面照度を測定する照度計であることを特徴とする。この構成では、顔面照度が照度計で直接的に測定されるようになる。
【００２３】
請求項６記載の発明は、請求項１から４のいずれかに記載の照明装置において、前記照度情報獲得手段は、前記所定対象としての顔面照度を推定するために、前記所定対象からの離隔距離を測定する測距センサであることを特徴とする。この構成では、顔面照度が離隔距離から推定で得られるようになる。
【００２４】
請求項７記載の発明は、請求項１から６のいずれかに記載の照明装置において、前記制御手段が、前記照明制御信号に従って、前記点灯手段を通じて前記光源を調光する動作を制御しても、前記照明生理プログラムによる照度情報が前記照度情報獲得手段で得られなければ、その旨を報知すること、または前記照明生理プログラムによる照度情報を用いた動作を停止することを特徴とする。この構成では、照明生理プログラムによる照明が、効果の得られない状態で実行されるのを防止することができる。
【００２５】
請求項８記載の発明は、請求項３記載の照明装置において、前記照明器具を複数備え、前記光補正手段は、前記複数の照明器具の全部または一部に対して、前記照度情報獲得手段で得られた照度情報が、前記照度情報出力手段によって出力された照度情報に等しくなるように、前記全部または一部の照明器具の各別に、前記照明制御信号を生成して出力することを特徴とする。この構成でも、照明生理プログラムによる効果を十分に高めることができる。
【００２６】
【発明の実施の形態】
（実施形態１）
図１は本発明による実施形態１の照明装置の構成図、図２は同照明装置の動作説明図である。
【００２７】
実施形態１の照明装置は、照明により人を人間工学的に快適に起床させるためのものであり、図１に示すように、ランプ（放電ランプ）１０と、これを点灯、調光または消灯するインバータなどの点灯回路部１１と、これがランプ１０を点灯、調光または消灯する動作を、照明制御信号に従って制御する制御回路部１２とを照明器具１に備えているとともに、生理ソフト制御部として、動作開始時刻設定部２０と、照明制御部２１と、照度獲得部２２と、光補正演算部２３とを備えている。
【００２８】
動作開始時刻設定部２０は、後述の照明生理プログラムの動作開始時刻を直接または間接的に設定するためのものであり、例えば、操作キーなどにより構成され、操作に応じて動作開始時刻を設定するようになっている。実施形態１では、図２に示す時刻ｔ３を起床希望時刻として設定する操作が行われると、時刻ｔ３よりも３０〜６０分前の時刻ｔ１が動作開始時刻として設定される。
【００２９】
図１に戻って、照明制御部２１は、例えば、予め作成された照明生理プログラムなどを記憶するメモリ、それを実行するマイコンおよびタイマなどにより構成され、動作開始時刻設定部２０で設定された動作開始時刻になると、照明生理プログラムによる照度情報（図２に示す「目標とする顔面照度データ」の各時点毎の値）を出力するものである。
【００３０】
照度獲得部２２は、顔面（所定対象）の照度情報を得るためのものであり、実施形態１では、顔面照度を測定する照度計により構成され、利用者の顔面照度を計測することができる位置に配置される。
【００３１】
光補正演算部２３は、照度獲得部２２で得られた照度情報（照度データ）が照明制御部２１によって出力された照度情報（設定照度データ）に等しくなるように、照明制御信号を生成して制御回路部１２に出力するものである。例えば、照度データの照度値が設定照度データの照度値よりも低ければ、調光出力を所定幅上げる照明制御信号を生成し、高ければ調光出力を所定幅下げる照明制御信号を生成する。なお、照明制御部２１および光補正演算部２３は、同一のマイコンなどにより構成するようにしてもよい。
【００３２】
次に実施形態１の動作について説明する。図２に示すように、現在時刻が起床希望時刻ｔ３の３０〜６０分前の時刻ｔ１になると、生理ソフト制御部が動作するが、照度獲得部２２で得られた照度データの値が、外光等による顔面照度の影響を受け、照明制御部２１によって出力された設定照度データの値よりも高いので、設定照度データの値が照度データの値に等しくなるｔ２時点まで、光補正演算部２３は照明制御信号を出力するのを停止する。これにより、ランプ１０は、ｔ２時点まで消灯のままとなる。
【００３３】
この後、設定照度データの値が照度データの値に等しくなると、照度獲得部２２で得られた照度データの値が照明制御部２１によって出力された設定照度データの値に等しくなるように、照明制御信号が生成されて、制御回路部１２に出力される。つまり、ｔ２時点以降において、ランプ１０による照度と外光等による照度との合成顔面照度が、照明生理プログラムによる照度（図２の実線）に等しくなるように制御されるのである。
【００３４】
これにより、ｔ２時点以降の動作は図１１で説明した動作と同様になるが、照度データの値が設定照度データの値に等しくなるように、光補正演算部２３で補正される分、実際の顔面照度を照明生理プログラムによる照度に合わせることができるため、照明生理プログラムによる効果、この場合は快適な起床を促す効果を十分に高めることができる。
【００３５】
なお、実施形態１では、照明制御部２１にタイマが設けられる構成になっているが、動作開始時刻設定部２０にタイマを設け、動作開始時刻設定部２０が、照明生理プログラムによる照度情報を出力するためのタイミング信号を照明制御部２１に出力する構成でもよい。
【００３６】
（実施形態２）
図３は本発明による実施形態２の照明装置の動作説明図である。
【００３７】
実施形態２の照明装置は、図１と同様に構成され、図３に示すように、照明により人を人間工学的にリラックスないし入眠させるべく、図１２の場合と同様の照明生理プログラムが予め作成されている点を特徴とする。
【００３８】
次に実施形態２の動作について説明する。現在時刻が動作開始時刻ｔ１になると、生理ソフト制御部が動作し、照度獲得部２２で得られた照度データの値が照明制御部２１によって出力された設定照度データの値に等しくなるように、照明制御信号が生成されて、制御回路部１２に出力される。つまり、時刻ｔ１〜ｔ２の導入期間、時刻ｔ２〜ｔ３の遷移期間、時刻ｔ３以降のリラックス期間の各々において、ランプ１０による照度と外光等による照度との合成顔面照度が、照明生理プログラムによる照度（図３の実線）に等しくなるように制御されるのである。
【００３９】
これにより、ｔ１時点以降の動作は図１２で説明した動作と同様になるが、照度データの値が設定照度データの値に等しくなるように、光補正演算部２３で補正される分、実際の顔面照度を照明生理プログラムによる照度に合わせることができるため、照明生理プログラムによる効果、この場合は人を人間工学的にリラックスないし入眠させる効果を十分に高めることができる。
【００４０】
（実施形態３）
本発明による実施形態３の照明装置は、図１と同様に構成され、照明により人を人間工学的に、リラックスないし入眠させ、また快適に起床させるべく、実施形態１および実施形態２と同様の照明生理プログラムが予め作成され、ランプ１０の周囲温度、時間的な光出力の変化等に対応し、実際の顔面照度を照明生理プログラムによる照度に合わせ、適切な照度で利用者に対して照明をすることを特徴とする。
【００４１】
実施形態３では、照明器具１内のランプ１０の器具内周囲温度特性変化、点灯時間変化によるランプ出力変化により、ランプ１０の光出力が変化した場合においても、光補正演算部２３で顔面照度を補正することができる。
【００４２】
（実施形態４）
図４は本発明による実施形態４の照明装置の構成図である。
【００４３】
実施形態４の照明装置は、実施形態１〜３のいずれかとの相違点として、図４に示すように、動作開始時刻設定部２０、照明制御部２１、照度獲得部２２および光補正演算部２３を含むとともに、光補正演算部２３によって出力される照明制御信号をワイヤレス信号で送信するリモコン通信部２４を含むリモコン２と、ランプ１０、点灯回路部１１および制御回路部１２を含むとともに、リモコン通信部２４によって送信されたワイヤレス信号から照明制御信号を受信して制御回路部１２に出力するリモコン通信部１３を含む照明器具１とを備えることを特徴とする。ここで、リモコン通信部１３，リモコン通信部２４は、いずれもワイヤレス信号を送受信するリモコン送受信部であり、ワイヤレス信号は、赤外線リモコン信号である。なお、ワイヤレス信号は無線信号などでもよい。
【００４４】
実施形態４の動作は実施形態１〜３のいずれかの動作と同様であり、相違点として、光補正演算部２３によって出力される照明制御信号が、リモコン通信部２４を介してワイヤレス信号で送信され、リモコン通信部１３において、そのワイヤレス信号から照明制御信号が受信されると、制御回路部１２に出力される。これにより、照明制御信号を伝達する信号線がコードレス化されるので、信号線を配線するための手間を省くことができ、信号線の引き回しにより美観が損なわれるのを防止することができる。
【００４５】
（実施形態５）
図５は本発明による実施形態５の照明装置の構成図である。
【００４６】
実施形態５の照明装置は、実施形態１〜３のいずれかとの相違点として、図５に示すように、照度獲得部２２として顔面からの離隔距離を測定する測距センサ（例えば熱感知センサまたは超音波センサなど）を備えていることを第１の特徴としている。
【００４７】
そして、第２の特徴として、動作開始時刻設定部２０を含むとともに、動作開始時刻設定部２０によって設定された動作開始時刻を示す信号をワイヤレス信号で送信するリモコン通信部２４を含むリモコン２と、ランプ１０、点灯回路部１１、制御回路部１２、照明制御部２１、照度獲得部２２および光補正演算部２３を含むとともに、リモコン通信部２４によって送信されたワイヤレス信号から動作開始時刻を示す信号を受信して照明制御部２１に出力するリモコン通信部１３を含む照明器具１とにより構成されている。
【００４８】
実施形態５の動作は実施形態１〜３のいずれかの動作と同様であり、相違点として、動作開始時刻設定部２０によって設定された動作開始時刻を示す信号が、リモコン通信部２４を介してワイヤレス信号で送信され、リモコン通信部１３において、そのワイヤレス信号から動作開始時刻を示す信号が受信されると、照明制御部２１に出力される。
【００４９】
また、顔面からの離隔距離（距離データ）が照度獲得部２２で測定されると、距離データが顔面照度情報を得るための情報として出力される。そして、光補正演算部２３において、距離データから顔面照度が推定され、これ以降は実施形態１〜３のいずれかと同様に、照度獲得部２２で得られた離隔距離から推定された照度情報が、照明制御部２１によって出力された照度情報に等しくなるように、照明制御信号が生成されて制御回路部１２に出力される。なお、推定される顔面照度は、各種距離データ毎に予め測定され、上述したメモリに記憶されている構成でも、演算により算出される構成でもよい。
【００５０】
（実施形態６）
図６は本発明による実施形態６の照明装置の構成図、図７は同照明装置の動作説明図である。
【００５１】
実施形態６の照明装置は、図１の構成との相違点として、制御回路部１２から照明器具１の調光範囲等の情報（器具情報信号）を光補正演算部２３に送る信号ラインがさらに設けられていることを特徴とする。なお、図６では、図１の照度獲得部２２としての照度計のほか、距離データを出力する測距センサが設けられている。
【００５２】
そして、器具情報信号が生理ソフト制御部に送信されると、光補正演算部２３において、照明器具１を用いて各種照明生理ソフトを効果的に動かすことが可能であるかどうかを判別し、可能であれば照明生理プログラムが実行され、可能でなければ、その旨がランプ１０の点滅等により報知されるようになっている。
【００５３】
上記判別は、実際に照明器具１を動作させることにより、照度計により収集される照度データと、照明制御部２１によって出力される照度情報とを比較することにより実行される。そして、図７に示すように、照明制御部２１によって出力される照度情報の値に比べ、照度計により収集される照度データの値が高すぎ、制御回路部１２が、照明制御信号に従って、点灯回路部１１を通じてランプ１１を調光する動作を制御しても、照明生理プログラムによる照度情報が照度計で得られなければ、制御回路部１２および点灯回路部１１を介してランプ１１を点滅動作等させることにより、照明生理プログラムによる照明制御ができないことを報知する。
【００５４】
ここで、照明器具１から調光範囲等の情報を取得するのは、その調光範囲の下限値で照明器具を制御しても、照度計により収集された照度データの値が、上記の如く照明制御部２１によって出力される照度情報の値に比べ（例えば所定照度以上）高くなる場合に、照明生理プログラムによる照明制御ができないことを判別するためである。従って、照明器具１は、自己の調光範囲等の情報を予め記憶する記憶手段を持ち、生理ソフト制御部からの送信要求に応じてその調光範囲等の情報を送信するように構成されることになる。
【００５５】
なお、報知する代わりに、照明生理プログラムによる照度情報を用いた動作を停止するようにしてもよい。
【００５６】
また、実施形態６では、制御回路部１２および光補正演算部２３間が信号線で接続される構成になっているが、図４と同様に、双方向通信のリモコン通信部１３，２４が具備される構成でも、同様の効果を奏することができる。
【００５７】
（実施形態７）
図８は本発明による実施形態７の照明装置の構成図、図９は同照明装置の動作説明図である。
【００５８】
実施形態７の照明装置は、実施形態４との相違点として、図８に示すように、照明器具１を照明器具Ａ，Ｂ，Ｃ，Ｄとして複数備え、光補正演算部２３が、複数の照明器具の全部または一部に対して、照度獲得部２２で得られた照度情報が、照明制御部２１によって出力された照度情報に等しくなるように、全部または一部の照明器具の各別に、照明制御信号を生成して出力することを特徴とする。なお、照明器具Ａは主照明の照明器具、照明器具Ｂはスタンド照明器具、照明器具Ｃはダウンライト、照明器具Ｄはウォールライトである。
【００５９】
各照明器具の種別、調光範囲、利用者への光出力情報がリモコン２のメモリに予め記憶され、照明生理プログラムの動作時、その照明生理プログラムによる照度制御に最も有効な照明器具が選別され、その選別された、複数の照明器具の全部または一部が動作する。
【００６０】
図９において、複数の照明器具にはＩＤ番号が割り当てられ（Ｓ１）、それら複数のＩＤ番号はリモコン２のメモリに記憶される（Ｓ３）。またこのとき、各照明器具を個別に点灯ないし調光し、その照明器具の種別、調光範囲、照度レベル等の情報が収集され、リモコン２のメモリに記憶される（Ｓ２，Ｓ３）。照明器具の種別などはリモコン通信部１３，２４を介して照明器具から収集され、照度レベルは、照度獲得部２２を用いて収集される。
【００６１】
この後、リモコン２のメモリに記憶した各種情報を基に、照明生理プログラムによる照度制御に最も有効な照明器具が選別され（Ｓ４）、照明生理プログラムの実行開始前に選別された照明器具が動作する（Ｓ５）。
【００６２】
ここで、ＩＤ番号は、複数の照明器具のうちどの照明器具と通信しているかを認識するためのものであり、例えばあるＩＤ番号を持つ照明器具のみを、その照明器具から得られた調光範囲内で調光制御したときに、照度獲得部２２から照度情報を取得することにより、そのＩＤ番号を持つ照明器具に対する調光制御をどのようにすればどのような照度変化になるかを把握することができる。
【００６３】
これにより、照明生理プログラムによる光を照射することが可能になり、照明により人を人間工学的に、リラックスないし入眠させ、また快適に起床させることができる。
【００６４】
【発明の効果】
本発明によれば、照明生理プログラムによる効果を十分に高めることができる。
【図面の簡単な説明】
【図１】本発明による実施形態１の照明装置の構成図である。
【図２】同照明装置の動作説明図である。
【図３】本発明による実施形態２の照明装置の動作説明図である。
【図４】本発明による実施形態４の照明装置の構成図である。
【図５】本発明による実施形態５の照明装置の構成図である。
【図６】本発明による実施形態６の照明装置の構成図である。
【図７】同照明装置の動作説明図である。
【図８】本発明による実施形態７の照明装置の構成図である。
【図９】同照明装置の動作説明図である。
【図１０】従来の照明装置の構成図である。
【図１１】同照明装置の動作説明図である。
【図１２】本出願人により別途提案されている照明装置の動作説明図である。
【符号の説明】
１  照明器具
２  リモコン
１０  ランプ
１１  点灯回路部
１２  制御回路部
１３  リモコン通信部
２０  動作開始時刻設定部
２１  照明制御部
２２  照度獲得部
２３  光補正演算部
２４  リモコン通信部
【図１】
2004355856.tif 000003
【図２】
2004355856.tif 000004
【図３】
2004355856.tif 000005
【図４】
2004355856.tif 000006
【図５】
2004355856.tif 000007
【図６】
2004355856.tif 000008
【図７】
2004355856.tif 000009
【図８】
2004355856.tif 000010
【図９】
2004355856.tif 000011
【図１０】
2004355856.tif 000012
【図１１】
2004355856.tif 000013
【図１２】
2004355856.tif 000014